(57)【要約】【課題】  水平方向においても魚釣りのポイントを特定できる釣り用具を提供する。【解決手段】  釣り用具の１つであるリール１の周面には、方位コンパス１０が取り付けられている。釣人は、釣りの際に狙ったポイントの水平方向位置を、この方位コンパス１０を利用することで特定でき、次回の釣りの際にも、同じポイントを狙って仕掛けを投じることが可能である。【選択図】    図１
2005176652.tif 000002
【特許請求の範囲】
【請求項１】
本体部と前記本体部に取り付けられた方位コンパスとを備えた、釣り用具。
【請求項２】
前記方位コンパスは、度数線のマークされたベース部と、方位度数目盛りが周縁に振られ前記ベース部に回動自在に載置されたリングと、前記リングの中央に前記ベース部に回動自在に載置されたコンパス台と、前記コンパス台に回動自在に軸支され常に南北方向を示す磁石針とを有する、請求項１に記載の釣り用具。
【請求項３】
前記ベース部は前記釣り用具の本体部の一部である、請求項２に記載の釣り用具。
【発明の詳細な説明】
【技術分野】
【０００１】
本発明は、魚釣りに用いる釣竿，リールなどの釣り用具に関する。
【背景技術】
【０００２】
ある種の魚は特定の水中の地形や水深を好み生息している。このような特定の箇所がポイントと呼ばれ、釣人は前回の釣りの際に魚を釣り上げたポイントを覚えておき、次回の釣りの際にも、そのポイントを狙って仕掛けを投じることが多い。そこで、このような特定のポイントを狙うために、水深を特定するべく放出した釣糸の長さを計測するカウンタ付きのリールも近時は多く提供されている（特許文献１等参照）。
【０００３】
しかし、このようなカウンタ付きのリールは、釣糸の放出した長さを計測するに留まり、水深についてのみ釣人に情報を与えるに過ぎない。特定のポイントは、水深という鉛直方向のみではなく、東西南北という水平方向においても特定する必要がある。
【特許文献１】特開2000-270734号公報
【発明の開示】
【発明が解決しようとする課題】
【０００４】
本発明は、狙ったポイントに確実に仕掛けなどを投入することが可能な釣り用具を提供するものである。
【課題を解決するための手段】
【０００５】
本発明の釣り用具は、例えば、魚釣りに用いる釣竿の竿体（特に、リールシート付近），竿体に取り付けられているリールシート，リールシート付近の竿体の周面に取り付けられているグリップ，若しくはリール自体等、釣人が釣りをおこなっている際に目視可能な釣り用具である。この釣り用具は、本体部と、本体部に取り付けられた方位コンパスとを備えている。釣り用具を利用する際に、釣人は方位コンパスを利用して水平方向位置を特定し、狙ったポイントを把握する。
【０００６】
例えば、上述の方位コンパスは、度数線のマークされたベース部と、方位度数目盛りが周縁に振られベース部に回動自在に載置されたリングと、リングの中央にベース部に回動自在に載置されたコンパス台と、コンパス台に回動自在に軸支され常に南北方向を示す磁石針とを有するものとする。
【０００７】
このような釣り用具においては、釣人は特定の釣り場に赴きその釣り用具の方位コンパスを利用して、水平方向において任意の位置を特定できる。前回、同じ釣り場で魚釣りを行い、一定の位置からのあるポイントの水平方向を特定した場合、その水平方向位置若しくはその方向の度数を記憶し又はマークする。次回、同じ釣り場で魚釣りをおこなう際には、その度数を頼りにして特定のポイントを狙う。例えば、４０度の方向に向かって釣りをおこないたい場合、リングをベース部上で回転させて、その周縁の方位度数目盛りの４０度にベース部の度数線を合わせる。その状態で、コンパス台の磁石針の磁北側をリングの０度に合わせる。この際、リング，ベース部及びコンパス台は相互に周方向に回転させることなく、釣り用品毎全体を回す。ここで、度数線が示す方向が、狙うべきポイントの水平方向となる。
【発明の効果】
【０００８】
本発明の釣り用具によれば、ポイントを水平方向においても特定することができる。
【発明を実施するための最良の形態】
【０００９】
以下、本発明の実施形態につき図面を参照しつつ説明する。
まず、図１に、本発明の釣り用具の１つであるリール１を示す。このリール１はリール本体２を有する。リール本体２の左右の側板３，４の間にスプール軸を介してスプール５が回転可能に支持されている。例えば、このリールは電動リールであり、スプール５には、スプールモータの駆動やハンドル６の巻取り操作で回転して釣糸が巻回される。スプールモータ（図示せず）はリール本体２の内部のスプール５の前方に一体成形されたモータケース内に収納されている。また、スプール５の一側面にはマグネットが装着されると共にリードスイッチ等が取り付けられる。これらがスプール５の回転方向と回転数を検出する回転数検出手段である。さらに、リードスイッチは所定の制御手段に接続される。制御手段は周知のものであり、スプール５の回転方向から釣糸の繰り出し・巻き取りを判定し、さらに、放出されている釣糸の長さを判定する。このようなリール１は、竿体Ｒのリールシートに装着される。
【００１０】
リール本体２の上面には、方位コンパス１０が取り付けられている。図２に詳しく示すように、方位コンパス１０は、度数線Ａのマークされたベース部１１と、ベース部１１に回動自在に載置されたリング１２と、リング１２の中央にベース部１１に回動自在に載置されたコンパス台１３と、コンパス台１３に回動自在に軸支され常に南北方向を示す磁石針１４とを有している。
【００１１】
ベース部１１は、図２に示すように略矩形板型の部材であり、中央付近にリング１２などの一部を収納可能な凹部が形成されている。その凹部の中央には軸Ｘを挿入可能な孔も形成されている。この凹部の内壁には凹凸を形成している。この実施形態では、ベース部１１をリール本体２とは別個に用いているが、リール本体２の上面に凹部などを形成して、リール本体２自体の上面の一部をベース部１１として利用することも当然に可能である。
【００１２】
リング１２は、ベース部１１の凹部に収納されたリング状の部材である。リング１２の上面の周縁に方位度数目盛りが振られている。リング１２は中央付近に軸Ｘが挿通する孔が形成されており、軸Ｘを中心に周方向に回動自在である。また、リング１２の周側面には上述のベース部１１の凹部の内壁の凹凸に噛み合う突起が配列されている。リング１２は、ベース部１１の凹部内で、周側面をベース部１１の凹部の内壁に噛み合わせつつ回動する。
【００１３】
コンパス台１３は、中央に軸Ｘが貫通している短円筒状の部材である、底面はその周面に東西南北などの方向を示した文字盤としても良い。上面は内部を視認可能な透明なカバーなどで覆われている。そして、コンパス台１３内には磁石針１４が収納されている。即ち、軸Ｘに磁石針１４が回動自在に軸支されている。磁石針１４は常に南北方向を指し示すような磁石である。これらのベース部１１，リング１２，コンパス台１３はそれぞれ相互に独立して軸Ｘを中心に周方向に回転することができる。
【００１４】
このような電導リール１を利用した釣りにおいては、釣人は特定の釣り場に赴きその方位コンパス１０を利用して、水平方向に於ける任意の位置を特定できる。さらに、リール１を利用して釣糸の導出距離を計算し、鉛直方向に於ける任意の位置を特定することもできる。水平方向及び鉛直方向の両者により、特定のポイントに確実に仕掛けを投じることができるのである。
【００１５】
例えば、同じ釣り場で魚釣りを行い、一定の位置からのあるポイントの水平方向を４０度の方向であると特定する。次回、同じ釣り場で魚釣りをおこなう際には、その度数を頼りにして特定のポイントを狙う。即ち、コンパス１０のリング１２をベース部１１上で回転させて、その周縁の方位度数目盛りの４０度にベース部１１の度数線を合わせる。その状態で、コンパス台１３の磁石針１４の磁北側をリングの０度（北方向）に合わせる。この際、リング１２，ベース部１１及びコンパス台１４は相互に周方向に回転させることなく、リール１を取り付けた釣竿全体でその方向を調整する。ここで、度数線Ａが示す方向が、狙うべきポイントの水平方向となる。
【００１６】
なお、上述のようにリールに方位コンパス１０を取り付ける他、釣竿の竿体Ｒに方位コンパス１０を取り付けることも可能である。例えば、図３に１つの竿体Ｒを示す。この竿体Ｒは、複数の釣竿を構成する複数の竿体の中で最も竿元側に配置される太径の竿体である。その周面には、リールを装着するためのリールシート２１が取り付けられ、リールシート２１の穂先側にはグリップ２２が取り付けられている。
【００１７】
リールシート２１は周知のものを利用できる。例えば、図３に示す竿体Ｒでは、ナット式と呼ばれるタイプのものを示す。固定フードと移動フードとでリールの脚部を挟持し、ナット部分を回動させて移動フードを固定フード側にスライド移動させ、リールの脚部を固定する。
【００１８】
グリップ２２は、ポリウレタン等の弾性体から構成されるパイプ状の部材であり、竿体Ｒの周面に装着され固定されている。釣人がこれを把持して釣りをおこなうことになる。
【００１９】
方位コンパス１０の主な構造は上述のものと同様であり、説明は省略する。この方位コンパス１０は、グリップ２２の穂先側に隣接する位置において竿体Ｒに取り付けられている。上述のように、釣人はリールシート２１及びグリップ２２付近を把持して釣り操作を行うので、グリップ２２の近傍に方位コンパス１０を取り付けておくのが好ましい。
【図面の簡単な説明】
【００２０】
【図１】本発明の１つの実施形態に係るリールを示した図。
【図２】図１の方位コンパス１０を示した図。
【図３】本発明の他の実施形態に係る釣竿の竿体を示した図。
【符号の説明】
【００２１】
１  釣り用リール
Ｒ  竿体
１０  方位コンパス
１１  ベース部
１２  リング
１３  コンパス台
１４  磁石針
【図１】
2005176652.tif 000003
【図２】
2005176652.tif 000004
【図３】
2005176652.tif 000005